(57)【要約】【課題】本発明は、コンテンツ情報を編集して再生するのに必要な編集パターン情報を正確に設定することが容易で、ユーザーの好みにきめ細かく対応できる映像表示装置を提供することを目的とする。【解決手段】記録媒体に録画された番組について事前に編集処理を行い、その編集結果を編集パターン情報として番組のコンテンツ特定情報とともに登録しておく。そして、例えば、毎週放送される連続ドラマのように番組構成が同一の場合には、後から録画した番組の編集パターン情報を作成する際に以前に登録した番組に関する編集パターン情報を読み出して用いるようにする。同一の編集パターン情報をそのまま使用できるので、編集に関する設定操作が簡略化され、正確に編集パターン情報を設定できる。【選択図】図１３
2005341032.tif 000002
【特許請求の範囲】
【請求項１】
コンテンツ情報を記録媒体に録画するとともに該記録媒体からコンテンツ情報を再生する映像表示装置において、録画されたコンテンツ情報毎に編集パターン情報をコンテンツ特定情報とともに記憶する記憶手段と、前記編集パターン情報及び前記コンテンツ特定情報を読み出して表示させる表示制御手段と、表示された情報のうち選択された編集パターン情報及びコンテンツ特定情報に基づいて作成された新たな編集パターン情報及びコンテンツ特定情報を前記記憶手段に記憶させる編集登録手段とを備えていることを特徴とする映像表示装置。
【請求項２】
前記表示制御手段は、予約録画設定時に表示動作することを特徴とする請求項１に記載の映像表示装置。
【請求項３】
前記記憶手段は、１つのコンテンツ特定情報に対して複数種類の編集パターン情報を記憶可能であることを特徴とする請求項１又は２に記載の映像表示装置。
【発明の詳細な説明】
【技術分野】
【０００１】
本発明は、テレビジョン放送の番組等のコンテンツ情報を、ビデオテープ、ＣＤ（Compact Disk）、ＤＶＤ（Digital Versatile Disk）、ＨＤＤ（Hard Disk Drive）等の記録媒体に録画するとともに録画されたコンテンツ情報を再生する映像表示装置に関する。
【背景技術】
【０００２】
上述した記録媒体は大容量化が進められており、そのため多くのコンテンツ情報を記録媒体に記憶することが可能となっている。そして、様々なジャンルのコンテンツ情報に対応するため、映像表示装置には多くの機能が付加されるようになっている。ところが、こうした多くの機能を駆使してユーザーが自分の好みに合せてコンテンツ情報を表示させるためには、様々な設定を行わなければならない。しかしながら、こうした設定動作は、面倒であるとともに間違えて設定するおそれがある。そこで、こうした設定動作を簡略化するために様々な方法が提案されている。
【０００３】
例えば、特許文献１には、放送信号を受信し、その放送信号の音声モードを判別する判別手段と、毎週または毎日放送される同一番組を予約記録を行うときに初回の記録時に、その番組の音声モードを判別した結果からステレオ、２カ国語、モノラルのそれぞれについて時間を計測する計測手段と、前記計測手段の計測結果に基づき、最長の音声モードを前記番組の音声モードと判断する音声モード判断手段とを備え、２度目以降の同一番組の記録の際は、前記音声モード判断手段の判断結果に基づき、その音声モードの期間のみ放送信号を記録するようにして、番組本編だけの録画を行なう点が記載されている。また、特許文献２には、ディスクに記録されている情報を再生する情報再生装置において、情報の再生動作を途中で停止した場合にディスクの種類及び再生停止位置に関する情報を記憶するようにした点が記載されている。また、特許文献３には、テレビ信号に含まれる番組映像とＣＭ映像を判別して各映像の先頭に割り当てられたポインタによって全体の映像を章分けし、見たい映像の先頭から再生したりＣＭをスキップしたりすることができるようにした点が記載されている。
【特許文献１】特開平１１−２９６９３０号公報
【特許文献２】特開平１１−３３９３９６号公報
【特許文献３】特開２００３−３１９３１４号公報
【発明の開示】
【発明が解決しようとする課題】
【０００４】
上述した特許文献３に記載されているように、記録媒体に録画した情報は、そのまま再生する他に、ユーザーが自分の好みに合せて編集して再生することもできるようになっている。例えば、テレビジョン放送の番組では、図２２に示すように、いくつかの構成要素が組み合わされて番組が構成されている。この例では、１時間の番組で、最初の２分間主題歌が放送され、その後ＣＭと本編が交互に放送されて、最後に次回予告及びエンディングが放送された後ＣＭが放送される。こうした構成の番組を再生して視聴する場合、ユーザーは、毎回ほぼ同じ内容の主題歌やＣＭについては飛ばして本編だけを視聴したいと考えるのが一般的である。そのため、各構成要素の開始及び終了に関するデータを取得してそのデータに基づいて編集することが考えられるが、特許文献３では、番組音声がモノラル信号でＣＭ音声がステレオ信号であることに着目して各構成要素に関するデータを取得するようにしているため、番組音声がステレオ信号の場合区別できないと各構成要素のデータが取得できないといった問題があり、ユーザーの要望に十分対応することはできない。こうした各構成要素のデータをユーザー自身が入力していくことも可能であるが、図２２に示すように番組の構成要素の数が多いと、入力ミスが生じやすくまたユーザーにとって大きな負担とならざるを得ない。
【０００５】
そこで、本発明は、コンテンツ情報を編集して再生するのに必要な編集パターン情報を正確に設定することが容易で、ユーザーの好みにきめ細かく対応できる映像表示装置を提供することを目的とする。
【課題を解決するための手段】
【０００６】
本発明に係る映像表示装置は、コンテンツ情報を記録媒体に録画するとともに該記録媒体からコンテンツ情報を再生する映像表示装置において、録画されたコンテンツ情報毎に編集パターン情報をコンテンツ特定情報とともに記憶する記憶手段と、前記編集パターン情報及び前記コンテンツ特定情報を読み出して表示させる表示制御手段と、表示された情報のうち選択された編集パターン情報及びコンテンツ特定情報に基づいて新たに編集パターン情報及びコンテンツ特定情報を前記記憶手段に記憶させる編集登録手段とを備えていることを特徴とする。さらに、前記表示制御手段は、予約録画設定時に表示動作することを特徴とする。さらに、前記記憶手段は、１つのコンテンツ特定情報に対して複数種類の編集パターン情報を記憶可能であることを特徴とする。
【発明の効果】
【０００７】
上記のような構成を有することで、録画されたコンテンツ情報毎に編集パターン情報をコンテンツ特定情報とともに記憶しておき、編集パターン情報及び前記コンテンツ特定情報を読み出して表示させ、これまで編集を行って記憶された編集パターン情報を用いて新たに録画するコンテンツ情報に対応する編集パターン情報を登録すれば、過去に記憶された編集パターン情報を用いることができるので、わずらわしい編集操作を行わずに済み、さらに正確な設定が容易に行うことができる。
【０００８】
例えば、テレビジョン放送の番組で毎週放送される連続ドラマシリーズを録画していく場合、各回の番組は同一の構成要素から構成されていることがほとんどであるため、初回の編集操作が２回目以降においてもそのまま用いることができる。したがって、初回の編集操作結果を編集パターン情報として記憶しておき、録画の設定を行う際にその編集パターンを２回目以降の編集パターン情報として記憶すれば、編集操作を行うことなく正確かつ容易にユーザーの好みに応じた編集再生を行うことが可能となる。
【０００９】
そして、予約録画設定時に編集パターン情報及びコンテンツ特定情報を表示してユーザーが選択できるようにすれば、録画設定操作及び編集操作を同時に行うことができるようになり、ユーザーによる設定操作がより簡略化される。また、１つのコンテンツ特定情報に対して複数種類の編集パターン情報を記憶可能とすることで、ユーザーの好みに応じて様々な編集パターンを記憶しておくことができ、ユーザーの要望にきめ細かく対応することが可能となる。
【発明を実施するための最良の形態】
【００１０】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１１】
図１は、本発明に係る実施形態の全体ブロック図である。映像表示装置１は、全体制御に関する情報処理を行う制御部としての本体ＣＰＵ１０、記憶手段であるＲＡＭ１１及びＲＯＭ１２が設けられており、ＲＯＭ１２に記憶されたプログラムやＲＡＭ１１に記憶された様々な設定データ等を本体ＣＰＵ１０が読み出して制御を行う。なお、ＲＡＭ及びＲＯＭは、ＣＰＵに内蔵されていてもよい。
【００１２】
外部からのテレビジョン信号を受信するチューナ１３、映像を表示する表示部としてのモニタ１４、モニタ１４に内蔵された左右のスピーカ１５及び１６を有する。そして、チューナ１３からの出力信号は、クロマ信号処理回路１７で処理されて映像情報はモニタ１４に送信されて表示制御され、音声情報は本体ＣＰＵ１０から音声情報処理回路１８に送信されて左右のスピーカ１５、１６から音声出力される。また、本体ＣＰＵ１０には、操作情報入力部３０に受信されたリモコン３１の操作情報が入力されるようになっている。
【００１３】
一方、映像表示装置１には、ディスク録画再生装置２が併設されており、ＣＤやＤＶＤ等のディスクに録画再生を行う。ディスク録画再生装置２は、録画再生制御に関する情報処理を行う制御部としての録画再生用ＣＰＵ２０、プログラム等を記憶するＲＯＭ２１及び設定データ等を記憶するＲＡＭ２２を有している。なお、ＲＡＭ及びＲＯＭは、ＣＰＵに内蔵されていてもよい。
【００１４】
再生処理を行う場合には、図示しない回転制御装置により回転するディスク２３からピックアップ２４により記録された情報が読み取られ、ＭＰＥＧデコーダ２５により復号化される。復号処理では、必要に応じてＲＡＭ２９にデータを一時記憶させて行われる。復号化された情報はデジタル情報であるため、ビデオエンコーダ２６によりアナログ化されてクロマ信号処理回路１７及び音声情報処理回路１８に送信され、映像表示装置１のモニタ１４で映像表示されるとともに内蔵スピーカ１５及び１６で音声出力される。
【００１５】
録画処理を行う場合には、チューナ１３にディスク録画再生装置２側のビデオデコーダ２７を接続して、チューナ１３で受信されたアナログ信号をデジタル信号に変換した後ＭＰＥＧエンコーダ２８で圧縮した後ピックアップ２４によりディスク２３に録画する。そして、ディスク２３に録画された番組等のコンテンツ情報に関するデータが、コンテンツ特定情報としてＲＡＭ１１に記憶される。コンテンツ特定情報としては、番組の識別コード、番組のタイトル及びそのジャンル、録画日時、録画チャンネル、録画モードといった情報が挙げられる。
【００１６】
また、ディスク２３に録画された番組に関する編集処理が後述するように行われて、その際に作成された編集パターン情報がＲＡＭ１１にコンテンツ特定情報と関連付けられて記憶される。
【００１７】
図２は、録画された番組の編集処理に関するフローを示している。例えば、モニタ１４に表示されたメインメニュー画面においてユーザーがリモコン３１を用いてメニューの中から編集処理を選択すると、まず編集番組選択画面（図３参照）が表示されて選択処理が行われる（Ｓ１００）。この例では、４つの番組がディスク２３に記録されており、それらの番組に関する番組Ｎｏ．、録画日時、録画チャンネル、録画モード、ジャンルがリスト表示される。そして、リスト表示された中から編集する番組をユーザーがリモコン３１を用いて１つ選択する。
【００１８】
次に、編集機能選択画面（図４参照）が表示され、表示された機能リストから希望する編集機能を選択する（Ｓ１０１）。番組削除（カット）は、番組の構成要素の中で例えばＣＭ部分だけカットする場合に使用する。番組分割（分ける）は、一度に複数の番組を録画した場合等に使用する。また、番組合体（つなぐ）は、シリーズの番組を一体として編集する場合等に使用する。その他としては、番組削除機能に対するプロテクト機能、ジャンルの変更処理等が設けられている。例えば、番組内のＣＭ部分を削除したい場合には、「１．番組削除（カット）」にカーソルを移動して選択操作を行う。そうすると、番組削除（カット）設定画面（図５参照）に移行する。設定画面では、既に選択された番組の番組Ｎｏ．が表示されるとともに、番組の編集ファイルＮｏ．が自動的に割り振られる。この例では、番組Ｎｏ．２の番組について初めて編集が行われるため、編集ファイルＮｏ．＊１が割り振られている。既に編集ファイルＮｏ．が存在する場合には、それに続いて新たなＮｏ．が割り振られる。
【００１９】
そして、「カット開始設定モード」を選択すると、番組内容の再生が開始される（Ｓ１０２）。再生中は、図６に示すように、画面の下部に開始時点で設定キーを押下するよう促すメッセージが表示され、再生画面が本編からＣＭに移行した時点でユーザーが設定キーを押すと、その時点のカウント値を自動的に割り振られるカット開始Ｎｏ．とともに記憶し、自動的に「カット終了設定モード」に切り換わる。このモードでも再生が継続して行われ、図７に示すように、画面の下部に終了時点で設定キーを押下するよう促すメッセージが表示される。再生画面がＣＭから本編に切り換わる時点でユーザーが設定キーを押すと、その時点のカウント値を自動的に割り振られるカット終了Ｎｏ．とともに記憶される。こうして１つのカットについてその開始及び終了に関する編集パターン情報が入力される（Ｓ１０３）。次に、追加の編集箇所の有無についてチェックが行われ（Ｓ１０４）、図８に示すように、再生中の画面の下部に表示されたメッセージに従いユーザーが「はい」「いいえ」のいずれかを選択することでチェックされる。「はい」が選択された場合にはステップＳ１０２に戻り再びカット開始及び終了に関する編集パターン情報の入力が行われる。「いいえ」が選択された場合には、図９に示すように画面下部にメッセージを表示して、入力されたカット開始及び終了に関する編集パターン情報を登録するか確認する（Ｓ１０５）。「はい」が選択された場合には、編集パターン情報の登録処理が行われて（Ｓ１０６）終了する。「いいえ」が選択された場合にはそのまま終了する。
【００２０】
編集パターン情報は、図１０に示すように、コンテンツ特定情報の１つである番組Ｎｏ．とともに、編集ファイルＮｏ．、カットＮｏ．毎の開始カウント値及び終了カウント値がＲＡＭ１１に記憶される。この例では、開始カウント値及び終了カウント値は、時間表示となっている。
【００２１】
こうして記憶された各番組の編集ファイルについて、編集パターン情報の閲覧、修正及び実行処理が可能となる。図１１は、編集パターン情報閲覧処理に関するフローを示している。まず、閲覧する番組の選択が行われる（Ｓ２００）。図１４に示すような番組選択画面が表示され、ディスク２３に記憶された番組に関するコンテンツ特定情報がリスト表示される（Ｓ２０１）。そして、各番組の情報の末尾には、登録された編集ファイルの最終Ｎｏ．が表示される。したがって、各番組毎に登録された編集ファイル数が確認できる。編集ファイルが登録されていない場合には、番組Ｎｏ．３のように編集ファイルが表示されない。
【００２２】
図１２は、編集パターン情報修正処理に関するフローを示している。まず、番組選択画面（図１４参照）が表示されて修正する番組が選択される（Ｓ３００）。次に、選択された番組の編集パターン情報を読み出して、編集パターン情報表示画面（図１５参照）に示すように表示する（Ｓ３０１）。この例では、番組Ｎｏ．４が選択され、その編集ファイルＮｏ．＊２が表示されており、編集ファイルＮｏ．＊２に関するカットＮｏ．毎の開始カウント値及び終了カウント値がリスト表示される。そして、表示された編集パターン情報の修正箇所についてリモコン３１を操作して適宜修正し（Ｓ３０２）、編集パターン情報として登録するか確認画面（図９参照）を表示する（Ｓ３０３）。「はい」が選択された場合には、編集パターン情報の登録処理が行われて（Ｓ３０４）終了する。「いいえ」が選択された場合にはそのまま終了する。
【００２３】
図１３は、編集パターン情報実行処理に関するフローを示している。まず、番組選択画面（図１４参照）が表示され、リスト表示された番組の中から実行する番組が選択される（Ｓ４００）。次に、選択された番組に関する編集ファイルの有無がチェックされ（Ｓ４０１）、編集ファイルが存在する場合には、実行する編集ファイルが選択される（Ｓ４０２）。例えば、図１６に示すような選択画面が表示されて、２つの編集ファイルのうち１つが選択される。そして、選択された編集ファイルに従って編集再生が実行される（Ｓ４０３）。編集再生では、例えば、上述したＣＭ部分のカット編集の場合には、カットに関する開始カウント値及び終了カウント値といった編集パターン情報に基づいてＣＭ部分のみ飛ばして再生処理が行われる。
【００２４】
ステップＳ４０１において、選択された番組に編集ファイルがない場合には、他の番組に関する編集ファイルのうち実行したい編集パターンに類似する編集ファイルを選択するために、まず番組選択画面（図１７参照）が表示されて番組の選択が行われ（Ｓ４０４）、次に、選択された番組の編集ファイル選択画面（図１６参照）が表示されて類似する編集ファイルが選択される（Ｓ４０５）。ここで、番組選択画面では、編集ファイルが存在する番組のみリストアップされ、編集ファイルのない番組は表示されない。
【００２５】
そして、選択された編集ファイルについて修正するか確認画面を表示して（Ｓ４０６）、修正が必要とされた場合には上述した編集パターン情報修正処理を行う（Ｓ４０７）。次に、修正した編集ファイルを新たに登録するか確認画面を表示し（Ｓ４０８）、登録不要とされた場合には、編集再生に移行する。登録要とされた場合には、番組Ｎｏ．を選択された番組のＮｏ．に修正し、編集ファイルＮｏ．をその番組のものに修正して新たな番組Ｎｏ．で新たな編集ファイルとして新規登録する（Ｓ４０９）。その後編集再生に移行する。
【００２６】
このように、記憶されている編集パターン情報及びコンテンツ特定情報を用いて別の番組の編集パターン情報及びコンテンツ特定情報を新たに登録するようにしたので、修正に関する設定操作が容易に行えると共に正確に編集パターン情報を登録することができる。  以上説明した例では、既に録画された番組について編集パターン情報を登録するようにしているが、録画処理を行う際に登録することもできる。
【００２７】
図１８は、予約録画を行う場合に合せて編集パターン情報も登録する編集録画設定処理に関するフローを示している。まず、図１９に示すような予約録画選択画面で「編集録画設定」を選択すると、編集録画設定処理に入り、番組選択画面（図１７参照）が表示され、リスト表示された番組の中から編集録画する番組が選択される（Ｓ５００）。そして、選択された番組について編集ファイルの選択が行われる（Ｓ５０１）。例えば、図１６に示すような選択画面が表示されて、リストアップされた編集ファイルから予約録画する番組に使用する編集ファイルを選択する。
【００２８】
次に、選択された編集ファイルについて修正するか確認画面を表示して（Ｓ５０２）、修正が必要とされた場合には上述した編集パターン情報修正処理を行う（Ｓ５０３）。そして、図２０に示すような予約録画設定画面を表示して予約日時等予約録画に必要なデータの設定を行う（Ｓ５０４）。この場合、選択された番組に関するコンテンツ情報を読み出して設定画面に予め表示しておけば、日時、曜日等のデータを修正するのみで設定ができる。この例では、毎週放送される連続ドラマ番組であるため、日付のみを１週間後の２１日にすればよい。また、設定画面では、予約録画する番組の番組Ｎｏ．４が自動的に割り振られ、選択された編集ファイルについても編集ファイルＮｏ．＊１が自動的に割り振られる。そして、図２１に示すような予約録画登録確認画面を表示して登録の確認を行い（Ｓ５０５）、確認されると予約登録処理を行って（Ｓ５０６）予約録画のための設定データと共に編集パターン情報が登録される。ステップＳ５０５で設定事項に修正が必要と判断された場合には「修正」が選択されて再び編集録画処理が開始される。予約登録が終了すると、予約時間が到来するまで待機処理となる（Ｓ５０７）。
【００２９】
以上の例では、予約録画を行う最初の段階で編集録画設定を選択するようにしているが、ステップ５０４において予約録画に関するデータを設定する際に編集ファイルを読み出して編集パターン情報を設定するようにしてもよい。また、通常の録画処理を行う際にも編集ファイルを読み出して編集パターン情報を設定することもできる。
【００３０】
以上説明したように、録画に関する設定を行う際に編集パターン情報を設定することができるので、両方の設定操作が簡略化されるとともに正確に行うことが可能となる。
【図面の簡単な説明】
【００３１】
【図１】本発明に係る実施形態に関する全体ブロック図である。
【図２】編集処理に関するフローである。
【図３】編集番組選択画面を示す図である。
【図４】編集機能選択画面を示す図である。
【図５】番組削除設定画面を示す図である。
【図６】カット開始時点設定画面を示す図である。
【図７】カット終了時点設定画面を示す図である。
【図８】追加設定確認画面を示す図である。
【図９】編集パターン情報登録確認画面を示す図である。
【図１０】編集パターン情報を示す図である。
【図１１】編集パターン情報閲覧処理に関するフローである。
【図１２】編集パターン情報修正処理に関するフローである。
【図１３】編集パターン情報実行処理に関するフローである。
【図１４】番組選択画面を示す図である。
【図１５】編集パターン情報表示画面を示す図である。
【図１６】編集ファイル選択画面を示す図である。
【図１７】番組選択画面を示す図である。
【図１８】編集録画設定処理に関するフローである。
【図１９】予約録画選択画面を示す図である。
【図２０】編集予約録画設定画面を示す図である。
【図２１】編集予約録画登録確認画面を示す図である。
【図２２】放送番組の構成を示す図である。
【符号の説明】
【００３２】
１    映像表示装置
２    ディスク録画再生装置
10    本体ＣＰＵ
11    ＲＡＭ
12    ＲＯＭ
14    モニタ
17    クロマ信号処理回路
18    音声情報処理回路
20    録画再生用ＣＰＵ
21    ＲＯＭ
22    ＲＡＭ
23    ディスク
24    ピックアップ
30    操作情報入力部
31    リモコン
【図１】
2005341032.tif 000003
【図２】
2005341032.tif 000004
【図３】
2005341032.tif 000005
【図４】
2005341032.tif 000006
【図５】
2005341032.tif 000007
【図６】
2005341032.tif 000008
【図７】
2005341032.tif 000009
【図８】
2005341032.tif 000010
【図９】
2005341032.tif 000011
【図１０】
2005341032.tif 000012
【図１１】
2005341032.tif 000013
【図１２】
2005341032.tif 000014
【図１３】
2005341032.tif 000015
【図１４】
2005341032.tif 000016
【図１５】
2005341032.tif 000017
【図１６】
2005341032.tif 000018
【図１７】
2005341032.tif 000019
【図１８】
2005341032.tif 000020
【図１９】
2005341032.tif 000021
【図２０】
2005341032.tif 000022
【図２１】
2005341032.tif 000023
【図２２】
2005341032.tif 000024